【手続補正書】
【提出日】平成18年2月23日(2006.2.23)
【手続補正１】
【補正対象書類名】明細書
【補正対象項目名】特許請求の範囲
【補正方法】変更
【補正の内容】
【特許請求の範囲】
【請求項１】型内のゲートに配設されるゲートピンを、ゲート内の樹脂圧力に従って移動する構成とし、樹脂の充填の際に樹脂圧力が所定値を越えるときゲートより逃げ動作を行ってゲート開とし、樹脂の充填が完了し樹脂圧力が所定値より低下するときゲート方向に移動する動作を行い、ゲートの遮断を行うことを特徴とする型内ゲート開閉機構。
【請求項２】型内のゲートに配設されるゲートピンを、ゲート内の樹脂圧力に従って移動する構成とし、樹脂の充填の際に樹脂圧力が所定値を越えるときゲートより逃げ動作を行ってゲート開とし、樹脂の充填が完了し樹脂圧力が所定値を下回るときゲート方向に移動する動作を行い、ゲートの遮断を行う構成の型内ゲート開閉装置であって、型内ゲート開閉装置の基体の上部には、該型内ゲート開閉装置を組み込む部分の金型の上面部と面一の上面部を有するフランジ部が設けられていることを特徴とする型内ゲート開閉装置。
【請求項３】型内のゲートに配設されるゲートピンを、ゲート内の樹脂圧力に従って移動する構成とし、樹脂の充填の際に樹脂圧力が所定値を越えるときゲートより逃げ動作を行ってゲート開とし、樹脂の充填が完了し樹脂圧力が所定値を下回るときゲート方向に移動する動作を行い、ゲートの遮断を行う構成の型内ゲート開閉装置であって、前記ゲートピンの逃げ動作の移動量をゲート全開からゲート遮断までの無段階に調整が可能な構成を有することを特徴とする型内ゲート開閉装置。
【請求項４】基体の上面端部にゲート用空隙を設け、このゲート用空隙に連続して案内溝を設けてゲートピンを配設すると共に、該ゲートピンを前記基体内に配設されているバネにより前記ゲート用空隙の方向に付勢し、バネ圧調整及び移動ストローク調整する機構により、樹脂の充填の際に樹脂圧力が所定値を越えるときゲートより逃げ動作を行ってゲート開とし、樹脂充填完了後に樹脂圧が所定値を下回ったとき、前記ゲートピンが前記バネの付勢力によりゲート方向に移動し、ゲートを遮断する構成の型内ゲート開閉装置であって、前記ゲートピンの逃げ動作の移動量をゲート全開からゲート遮断までの無段階に調整を行う構成であることを特徴とする型内ゲート開閉装置。
【請求項５】バネ圧調整及び移動ストローク調整を、基体下部の底部から行う構成であることを特徴とする請求項４に記載の型内ゲート開閉装置。
【請求項６】バネ圧調整及び移動ストローク調整を、基体下部を回動させることにより行う構成であることを特徴とする請求項４に記載の型内ゲート開閉装置。
【請求項７】基体の下部が円筒形であることを特徴とする請求項４〜６のいずれかに記載の型内ゲート開閉装置。
【請求項８】前記基体の上部には、該型内ゲート開閉装置を組み込む部分の金型の上面部と面一の上面部を有するフランジ部が設けられていることを特徴とする請求項４〜７のいずれかに記載の型内ゲート開閉装置。
【請求項９】請求項１〜８のいずれかに記載した型内ゲート開閉装置を備えていることを特徴とする射出成形用金型。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
２．型内のゲートに配設されるゲートピンを、ゲート内の樹脂圧力に従って移動する構成とし、樹脂の充填の際に樹脂圧力が所定値を越えるときゲートより逃げ動作を行ってゲート開とし、樹脂の充填が完了し樹脂圧力が所定値を下回るときゲート方向に移動する動作を行い、ゲートの遮断を行う構成の型内ゲート開閉装置であって、型内ゲート開閉装置の基体の上部には、該型内ゲート開閉装置を組み込む部分の金型の上面部と面一の上面部を有するフランジ部が設けられていることを特徴とする型内ゲート開閉装置。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
３．型内のゲートに配設されるゲートピンを、ゲート内の樹脂圧力に従って移動する構成とし、樹脂の充填の際に樹脂圧力が所定値を越えるときゲートより逃げ動作を行ってゲート開とし、樹脂の充填が完了し樹脂圧力が所定値を下回るときゲート方向に移動する動作を行い、ゲートの遮断を行う構成の型内ゲート開閉装置であって、前記ゲートピンの逃げ動作の移動量をゲート全開からゲート遮断までの無段階に調整が可能な構成を有することを特徴とする型内ゲート開閉装置。
【手続補正６】
【補正対象書類名】明細書
【補正対象項目名】００１５
【補正方法】変更
【補正の内容】
【００１５】
４．基体の上面端部にゲート用空隙を設け、このゲート用空隙に連続して案内溝を設けてゲートピンを配設すると共に、該ゲートピンを前記基体内に配設されているバネにより前記ゲート用空隙の方向に付勢し、バネ圧調整及び移動ストローク調整する機構により、樹脂の充填の際に樹脂圧力が所定値を越えるときゲートより逃げ動作を行ってゲート開とし、樹脂充填完了後に樹脂圧が所定値を下回ったとき、前記ゲートピンが前記バネの付勢力によりゲート方向に移動し、ゲートを遮断する構成の型内ゲート開閉装置であって、前記ゲートピンの逃げ動作の移動量をゲート全開からゲート遮断までの無段階に調整を行う構成であることを特徴とする型内ゲート開閉装置。
【手続補正７】
【補正対象書類名】明細書
【補正対象項目名】００１６
【補正方法】変更
【補正の内容】
【００１６】
５．バネ圧調整及び移動ストローク調整を、基体下部の底部から行う構成であることを特徴とする上記４に記載の型内ゲート開閉装置。
【手続補正８】
【補正対象書類名】明細書
【補正対象項目名】００１７
【補正方法】変更
【補正の内容】
【００１７】
６．バネ圧調整及び移動ストローク調整を、基体下部を回動させることにより行う構成であることを特徴とする上記４に記載の型内ゲート開閉装置。
【手続補正９】
【補正対象書類名】明細書
【補正対象項目名】００１８
【補正方法】変更
【補正の内容】
【００１８】
７．基体の下部が円筒形であることを特徴とする上記４〜６のいずれかに記載の型内ゲート開閉装置。
【手続補正１０】
【補正対象書類名】明細書
【補正対象項目名】００１９
【補正方法】変更
【補正の内容】
【００１９】
８．前記基体の上部には、該型内ゲート開閉装置を組み込む部分の金型の上面部と面一の上面部を有するフランジ部が設けられていることを特徴とする上記４〜７のいずれかに記載の型内ゲート開閉装置。
【手続補正１１】
【補正対象書類名】明細書
【補正対象項目名】００２０
【補正方法】変更
【補正の内容】
【００２０】
９．上記１〜８のいずれかに記載した型内ゲート開閉装置を備えていることを特徴とする射出成形用金型。
【手続補正１２】
【補正対象書類名】明細書
【補正対象項目名】００９８
【補正方法】変更
【補正の内容】
【００９８】
【発明の効果】本発明に係る型内ゲート開閉機構及び金型によれば、下記の効果が得られ、頭記した課題が解決される。
（１）樹脂圧力を利用し、外部動力としてのエアーや油圧を必要としないので構造がシンプルである。
（２）サイドゲート仕様の金型であれば、コールドランナーは勿論ホットランナー金型にも組み込みが可能である。
（３）多点ゲートにおけるゲートバランスはバネの付勢力を調整するだけでよいので、ゲートバランス調整が容易である。また、本発明の好ましい実施態様によれば、バネ圧調整は金型を分解することなく行うことができるから、成形を行いながらの作業で行うことができる。ウエルドラインも簡単に移動することができる。バルブゲートでないホットランナーでも射出タイミングが可能である。また、極端に重量比の異なるセット取り製品も容易に成形が可能である。更に、ゲートバランスが調整できることにより、ホットランナー金型では、マニホールドブロックランナー径、ノズルゲート径などの寸法を同一にでき、流動解析などの検討が容易である。また、粘度が高く、流動性の悪い樹脂では、各キャビティへのゲート調整には、トライ時に切削工具を必要とするが、本発明のユニットでは不要である。
（４）セット取り製品の成形時のゲートバランスの調整も可能であるので、極端に重量比の異なるセット取り製品の成形も可能である。
（５）保持圧力がＯＦＦ或いは所定値以下となった時点でゲートが遮断されるため、綺麗なカット面が得られる。また、ＰＭＭＡ（アクリル）など透明樹脂でもカット面は白化やクラックもなく透明が保たれる。
（６）自動化が容易である。
（７）その他、ゲート開閉装置付き取り出し機などの設備が不要である、保持圧力がＯＦＦ或いは所定値以下となった時点でゲートピンがゲートを遮断するので、キャビティからの樹脂の逆流が防止できるし、ゲート付近に樹脂の材料名を打刻することができ、リサイクルに有効である。
（８）特に請求項２に示す本発明によれば、基体の上部に、組み込む部分の金型の上面部と面一の上面部を有するフランジ部を設けたので、金型への組み込みが容易である。
（９）特に請求項３、４に示す本発明によれば、前記（１）〜（８）の効果が得られるのは勿論のこと、複数個取りの金型において、任意の数の製品のみ必要な場合であっても、不要な製品部分のゲートのみを遮断することができるので、余分な製品の成形を無くすことができる。
（１０）特に請求項３、４に示す本発明によれば、多点ゲートにおけるゲートバランスはバネの付勢力及びゲートピンの移動ストロークを調整するだけでよいので、ゲートバランス調整が容易である。また、バネ圧調整及び移動ストローク調整は金型を分解することなく行うことができるから、成形を行いながらの作業で行うことができる。ウエルドラインも簡単に移動することができる。バルブゲートでないホットランナーでも射出タイミングが可能である。また、極端に重量比の異なるセット取り製品も容易に成形が可能である。更に、ゲートバランスが調整できることにより、ホットランナー金型では、マニホールドブロックランナー径、ノズルゲート径などの寸法を同一にでき、流動解析などの検討が容易である。また、粘度が高く、流動性の悪い樹脂では、各キャビティへのゲート調整には、トライ時に切削工具を必要とするが、本発明のユニットでは不要である。
（１１）特に請求項３〜７によれば、全体構造の簡略化を図ることができるので、加工が容易となり、強度を維持したまま小型化が可能となるのでコストダウンを図ることができる。更には、金型への組み込みも容易となるので、型内ゲート開閉装置単体でのコストダウンのみならず、金型のコストダウンも図ることができる。